(57)【特許請求の範囲】
【請求項１】
複数の支持体により内部に配線類空間が形成される二重床用構造体であって、
前記二重床用構造体を分割可能な切断部若しくは切込部が設けられ、
前記二重床用構造体の上面に配線類引出用領域が所定間隔毎に複数配設されており、
前記配線類引出用領域の少なくとも一部が、開口可能であり、且つ前記切断部若しくは前記切込部を跨いで設けられていることを特徴とする二重床用構造体。
【請求項２】
複数の支持体により内部に配線類空間が形成される二重床用構造体であって、
前記支持体間を連結する連結部が設けられ、
前記連結部には、前記支持体間を分割可能な切断部若しくは切込部が少なくとも複数本設けられており、
前記二重床用構造体の上面に配線類引出用領域が所定間隔毎に複数配設されていることを特徴とする二重床用構造体。
【請求項３】
複数の支持体により内部に配線類空間が形成される二重床用構造体であって、
前記支持体間を連結する連結部が前記支持体と一体に形成され、
前記二重床用構造体を分割可能な切断部若しくは切込部が前記連結部に設けられ、
前記連結部の下側に前記配線類空間の少なくとも一部が形成され、
前記二重床用構造体の上面に配線類引出用の開口となる配線類引出用領域が、開口されることで前記配線類空間に通じるように所定間隔毎に複数配設されていることを特徴とする二重床用構造体。
【請求項４】
薄肉に形成されて可撓性を有すると共に前記支持体間を連結する連結部が設けられ、
前記配線類空間の少なくとも一部が前記連結部の下側に形成され、且つ前記配線類引出用領域が前記連結部に設けられ、
前記支持体の上面と前記連結部とが略同一平面の天井面を形成することを特徴とする請求項１乃至３の何れかに記載の二重床用構造体。
【請求項５】
請求項１乃至４の何れかに記載の二重床用構造体の施工方法において、
床面の所定空間に前記二重床用構造体をパネル材として敷設する工程と、
前記パネル材が敷設された空間以外の床面の残余空間に前記二重床用構造体をボーダー材として敷設する工程と、
前記パネル材から前記ボーダー材にかけて前記配線類空間に敷設された所要経路の配線類を前記ボーダー材の所望の前記配線類引出領域から引き出す工程とを有することを特徴とする二重床用構造体の施工方法。
【発明の詳細な説明】
【０００１】
【産業上の利用分野】
本発明はオフィスなどで二重床を形成する場合に使用する二重床用構造体に係り、柱回りや壁際等の端仕舞に用いるボーダー材を含む床パネル・二重床パネルなどの、これらパネル材上の床面位置における開口部から、二重床内部に敷設された配線や配管などの配線類を必要とされる位置に応じて立ち上げ或いは引き出すことができる二重床用構造体及びその施工方法に関する。
【０００２】
【従来の技術】
近年、オフィス等においてＯＡ機器の使用増大に伴い、それらの配線処理や管理・マネジメントの必要性が高まり、二重床パネルなどフリーアクセスフロアの利用が拡大している。このフリーアクセスフロアにより、二重床面からレイアウトに応じてユーザーの必要とする使い勝手のよい床位置に種々の配線器具類等を自在に設けることができるようになっており、また特に配線類をＯＡ機器の近くや、机・壁・柱回り等に立ち上げる、例えばＯＡタップ等に接続するために配線を二重床内部から立ち上げる必要性が、その使い勝手から多々あり得る。
【０００３】
そして、予め敷設された配線類（配管等を含む）を開口部に挿通したり、立ち上げたりする配線類の立上構造として、以下のような構造や形成・施工方法が知られている。
【０００４】
▲１▼  支持脚型二重床パネルにおいて、予め定められたパネル上面位置に、床下配線の取出用開口穴や切欠を開けたり、必要に応じて開口穴を形成できるように切込を設けたものがある（実開昭６０−１５２７４０号、特開昭６２−１３６５１号、実開昭６２−１０１９４３号、実開平４−８６８４４号、特開平４−２２２７５７号）。
▲２▼  キャビネットや配管・配線器具において、その箱体側壁の予め定められた位置に配管・配線挿通可能となるようにノックアウトで開口穴を形成するものがある（実開昭６１−６５８１７号、実開昭６１−９７８８４号）。
▲３▼  床パネルに設けられる配線取出口用カバーにより、カバーに挿通口を開口して前記カバー設置位置においてのみ配線取出が行えるようにしたものがある（実開平４−１１８７２４号、実開平５−８９６８３号、実開平６−９３３０号、実開平６−６２７３３号、実開平６−７７４３０号、特開平１１−４４０８２号）。
▲４▼  端仕舞などのボーダー材においてボーダーカバーを用意し、これに予め多数の開口穴を開けておき、必要な場所から必要に応じて配線を挿通して立ち上げるものがある（実開平４−３６０４０号、特開平７−３１７２８５号、特開平９−１１９２０８号）。
▲５▼  残余部が格子状に成るように上下に貫通した開口部により、床パネルに多数のスリットを形成した特殊な構造のものがある（特開平９−８８３１２号）。
▲６▼  脚部を有し表面をフラットとした小ブロック多数体を全小ブロック体表面に亘って固着した柔軟性のシートを介して夫々接近状態に集合し、接近部上のシート部分から小ブロック体及びシートを折曲或いは切断することでケーブル取出口を開口可能にした置敷パネルがある（実開平３−１１１７３１号）。
【０００５】
一方、柱回り・壁際設置用床パネル材、ボーダー材としては以下の構造のものが広く知られている。
▲７▼  複数の小ブロック体、支持脚を並設して床パネルを形成するものがある（実公平５−１８４２７号、特開平１０−１０２７４１号、特開平１０−３２５２３２号、特開平１１−２２１６５号）。
【０００６】
以上のようにこの種の技術においては上記の各構造による対応で、施工の困難性、部品点数の増加、配線立上の取り扱いが面倒である等の問題は残るものの、床パネル、配線器具において配線の立ち上げ、引き出しを可能にしている。
【０００７】
【発明が解決しようとする課題】
しかしながら、上記各従来技術では以下のような問題がある。
【０００８】
第一に、上記▲１▼、▲２▼の場合、比較的大きな床パネル本体やキャビネット、配線器具本体に予め定めた位置にだけ配線取出用開口部が設られているので、配線立上位置に自由度がなく、その設置時に配線立上位置が一義的に決められてしまい、例えばレイアウト変更を行いたい場合や使い勝手上など、任意の使用において最適な位置で正確に配線を立ち上げることは不可能である。
【０００９】
また、例えば床パネルに開口を設置する場合には、床パネル本体の厚さ部分に開口部が形成されることになるため、床パネルの強度維持を考慮する必要があり、材料・材質に応じて強度設計しなければならない。そのため、床パネルの設計を難しくし、構造の複雑化を招いていた。さらに、例えば床パネル本体に任意の位置で配線が立ち上げられるように、複数の配線立上用開口部を設けることも同様の理由で困難であった。
【００１０】
第二に、上記▲３▼、▲４▼の場合、カバー材、ボーダーカバー等の別部材を用いなければならないため、部品点数が増加し、コスト上昇要因となる欠点があり、又前記部品点数の増加は構造を複雑化させる要因にもなる。
【００１１】
第三に、上記▲５▼の場合、上記▲３▼、▲４▼に比してさらに専用の床パネルを設けて構成するため、これも構造の複雑化、部品点数の増加を来たし、低コスト化が非常に困難となる。
【００１２】
第四に、上記▲６▼の場合、小ブロック体及びシートを折曲或いは切断することでケーブル取出口を開口する構成であるため、配線の取り出しに必要な大きさ以上の開口、或いは引き出す配線に不適応な開口が形成され、例えば使用上必要最小限の開口にはできず、その外観も良好とはいえない。
【００１３】
第五に、上記▲７▼のような構造のパネル材やボーダー材を使用する場合、ボーダーカバーなど別部材を用いなければ例えば壁際・柱回り等の配線立上ができず、非常に不便である。特にボーダー材においては、部品点数を増加することなく任意の位置で確実且つ簡単に配線立上ができる構造及びその施工方法が望まれているが、現在のところ存在しない。
【００１４】
以上のように、一般に配線の立ち上げや取り出しは、例えばパネル材やボーダー材設置後の壁際・柱回り等においても、配線器具を設置する際にＯＡ機器等のレイアウト状況によって必要となる場合があり、特に近年のＯＡ機器利用の増大に伴い、一人一台パソコンを保有するオフィス環境の実情において、任意且つ最適な位置での良好な配線立上・引出に対するニーズが二重床業界等で非常に高まってきている。
【００１５】
本発明は上記従来の課題に鑑み成されたものであって、その目的は、パネル材やボーダー材として使用する二重床用構造体において、二重床内部に敷設された配線の立ち上げ或いは引き出しを極めて簡単な構成で容易且つ良好に行うことができ、任意位置でのスムーズな配線立ち上げ等を確実に行うことが可能な二重床用構造体及びその施工方法を提供することにある。
【００１６】
【課題を解決するための手段】
本発明の二重床用構造体は、複数の支持体により内部に配線類空間が形成される二重床用構造体であって、前記支持体間を連結する連結部が前記支持体と一体に形成され、前記二重床用構造体を分割可能な切断部若しくは切込部が前記連結部に設けられ、前記連結部の下側に前記配線類空間の少なくとも一部が形成され、前記二重床用構造体の上面に配線類引出用の開口となる配線類引出用領域が、開口されることで前記配線類空間に通じるように所定間隔毎に複数配設されていることを特徴とする。前記配線類引出用領域は、例えば打抜若しくは切除等で開口可能とし、又、前記切断部若しくは切込部は、例えば二重床用構造体の上面に複数の所定区画が形成されるように設けられる。
【００１７】
また、本発明の二重床用構造体は、複数の支持体により内部に配線類空間が形成される二重床用構造体であって、前記二重床用構造体を分割可能な切断部若しくは切込部が設けられ、前記二重床用構造体の上面に配線類引出用領域が所定間隔毎に複数配設されており、前記配線類引出用領域の少なくとも一部が、開口可能であり、且つ前記切断部若しくは前記切込部を跨いで設けられていることを特徴とする。前記配線類引出用領域は、例えば打抜若しくは切除等で開口可能とし、又、前記切断部若しくは切込部は、例えば二重床用構造体の上面に複数の所定区画が形成されるように設けられる。
【００１８】
また、本発明の二重床用構造体は、複数の支持体により内部に配線類空間が形成され、少なくとも該支持体間に連結部が設けられる二重床用構造体であって、該二重床用構造体の上面である該支持体或いは該連結部に、配線類引出用領域が該配線類空間に通じるように所定間隔毎に設けられていることを特徴とする。即ち前記配線類引出用領域は、連結部又は支持体又は連結部と支持体の両者に設けるようにする。
【００１９】
また、本発明の二重床用構造体は、複数の支持体により内部に配線類空間が形成される二重床用構造体であって、前記支持体間を連結する連結部が設けられ、前記連結部には、前記支持体間を分割可能な切断部若しくは切込部が少なくとも複数本設けられており、前記二重床用構造体の上面に配線類引出用領域が所定間隔毎に複数配設されていることを特徴とする。前記配線類引出用領域は、例えば打抜若しくは切除等で開口可能とし、又、前記切断部若しくは切込部は、例えば二重床用構造体の上面に複数の所定区画が形成されるように設けられる。また、本発明の二重床用構造体は、薄肉に形成されて可撓性を有すると共に前記支持体間を連結する連結部が設けられ、前記配線類空間の少なくとも一部が前記連結部の下側に形成され、且つ前記配線類引出用領域が前記連結部に設けられ、前記支持体の上面と前記連結部とが略同一平面の天井面を形成することを特徴とする。
【００２０】
そして、本発明の二重床用構造体の施工方法は、複数の支持体により内部に配線類空間が形成され、上面に配線類引出用領域が設けられている二重床用構造体の施工方法において、床面の所定空間に該二重床用構造体をパネル材として敷設する工程と、該パネル材が敷設された空間以外の床面の残余空間に該二重床用構造体をボーダー材として敷設する工程と、該パネル材から該ボーダー材にかけて該配線類空間に敷設された所要経路の配線類を該ボーダー材の所望の該配線類引出領域から引き出すために、必要に応じて該配線類引出領域を開口し、該配線類を該配線類引出領域から引き出す工程とを有することを特徴とする。また、本発明の二重床用構造体の施工方法は、本発明の二重床用構造体を用いた施工方法において、床面の所定空間に前記二重床用構造体をパネル材として敷設する工程と、前記パネル材が敷設された空間以外の床面の残余空間に前記二重床用構造体をボーダー材として敷設する工程と、前記パネル材から前記ボーダー材にかけて前記配線類空間に敷設された所要経路の配線類を前記ボーダー材の所望の前記配線類引出領域から引き出す工程とを有することを特徴とする。
【００２１】
【発明の実施の形態】
以下、本発明による二重床用構造体及びその施工方法を図に示す具体的な実施形態に基づいて説明するが、本発明はかかる実施形態によって限定されるものではない。図１は第一実施形態の二重床用構造体の施工状態を示す斜視図、図２は図１の二重床用構造体の変形例を示す部分斜視図である。
【００２２】
図に於ける二重床用構造体１はパネル材として床面に敷設されるもので、所定間隔をおいて平面的に並設された複数の支持体１０と、支持体１０間に架設される連結部２０からなり、構造体１の内部には支持体１０間と連結部２０で包囲される配線類空間３０や支持体１０内の配線類空間３０が形成され、構造体１の上面をなす連結部２０には打抜（ノックアウト）或いは切除で開口可能な配線類引出用領域４０（４０ａ）が設けられていることを主要構成とする。前記構造体１は複数の支持体１０と支持体１０間の連結部２０とを一体成形で連結して形成するが、複数の支持体１０相互間に別体の連結部２０を架設して形成することも可能である。
【００２３】
なお複数の支持体１０を並設する所定間隔は前記構造体１では等間隔としたが所要の異なる間隔としてもよく、また構造体１は並設される支持体１０の個数等を変更することで、柱回り・壁際等に用いられる端仕舞などボーダー材として使用することもできる。従って、構造体１は二重床の基本パネル、ボーダーパネル、水道、ガス用の配管敷設用パネル等として使用可能である。また配線類引出用領域４０も等間隔で設けられているが、異なる間隔等で所定間隔ごとに設けてもよい。
【００２４】
支持体１０は図１に示す支持脚１１を有するテーブル形、図２に示す小ブロック体など適宜形状のものとし、中実構造とすることも可能であるが、軽量化を企図するため中空で下面開放の形状としてもよく、又樹脂や金属を一体成形（アルミダイキャスト等）して形成してもよい。さらに必要に応じて内面又は外面に図示しない補強リブ等を形成し、耐荷重性・剛性の向上を図るようにしてもよい。
【００２５】
連結部２０は複数の支持体１０間を連結或いは結合する機能を有するもので、図１及び図２の場合は支持体１０相互の側面上端において連結部２０が架設され、前記連結部２０は支持体１０の上面１０ａと共に略同一平面の天井面となり、構造体１の上面をなしている。なお連結部２０は支持部１０の側面或いは側方から突出して設けられればよく、上端、下端或いは略中間位置に設けることも可能で、また支持部１０相互を全面的に連結する場合に限らず部分的に連結してもよい（図３、図４、図５、図７等参照）。従って、略同一平面の天井面を形成せずに支持部１０相互を連結部２０で連結する構成としてもよく、構造体１の上面は例えば支持部１０の上面１０ａと前記上面１０ａと段差を有する連結部２０からなって略同一平面とならない場合もある。また構造体１の上面全体が連結部２０からなる構成としてもよい。
【００２６】
連結部２０はブロックの高さ方向の厚さやブロックの肉厚の厚さよりも薄い薄肉連結部としてもよく、施工される床面の不陸に倣うように不陸追従性や不陸吸収性を備えるように可撓性を与えてもよい。但し、連結部２０に可撓性を与えること等は好適な構成であるが、絶対的に必要なものではなく任意である。
【００２７】
前記連結部２０には中心に沿って切断可能とする断面略Ｖ字形、略凹形などの切断部２１が形成され、二重床用構造体１を切断部２１或いは後述する切込部４１でカッター等の器具を用いて敷設面積に応じて所定の大きさに切断し、連結部２０で囲まれる複数の区画に分割できるので、パネル材用或いは柱回り・壁際の端仕舞等に使用するボーダー材用など所要の区画を形成できる。なお構造体１は前記切断部２１や切込部４１のラインで分割しない場合でも複数の区画領域として認識して使用可能である。前記のように分割された構造体１の各区画間にも後述する配線類空間３０が形成されうる。
【００２８】
配線類空間３０には支持体１０相互間の連結部２０により形成され、前記配線類空間３０に所要経路に配線・配管など配線類５０が略縦横に敷設される。さらに、図１における支持脚１１間など支持体１０内部にも配線類空間３０が形成され、必要に応じて前記配線類空間３０にも所要経路の配線類５０の敷設が可能である。従って、例えば少なくとも単一の電力・電話・情報線等の各種配線や配管が敷設できる幅を有し、前記所要経路が形成可能な空間であることが必要である。
【００２９】
前記配線類空間３０は例えば配線類経路であり、前記配線類経路は配線・配管等を敷設するための所定経路が支持体１０相互間の連結部２０或いは支持脚１０間などで或いは配線溝等で形成され、二重床用構造体１を敷設した際に前記所定経路からなるものである。そして、前記配線類経路に通じるように二重床用構造体１の上面に配線類引出用領域４０を設けることで、配線・配管など配線類の緩やかな立ち上げが可能となる。なお配線類空間３０の構成は前記配線類経路に限定されるものではなく、二重床用構造体１の内部に形成されるもの全てが包含される。
【００３０】
配線類引出用領域４０は、配線類空間３０に敷設された配線類５０を上方へ立ち上げ或いは引き出すため所定圧力を加えることで開口可能であって、構造体１の上面をなす連結部２０の少なくとも一部分に例えばハンマー等による打抜或いは切断工具による切除で開口可能な領域４０ａとして形成されている。前記領域４０ａは予め切込部４１で規定する、或いは切込部４１と切断部２１で規定すると、上記打抜又は切除部分のガイドとして開口する際に切断し易くなって好適である。
【００３１】
図２に示す幅寸法Ｄの配線類引出用領域４０は、連結部２０上に切断部２１を跨いで設けられ、構造体１を所定の複数の区画に分割可能とする切断部２１のラインと切込部４１のラインとで規定・設定されている。そして、配線類引出用領域４０に開口を形成する場合、図の網目模様で示すように、例えばレイアウト変更等により使用上必要とされる開口形成位置に応じて所定の大きさで部分的に開口を形成できる（例えば図２に示すＸ寸法、図３に示すＹ寸法）。なお切断部２１のラインの替わりに例えば切込部４１のラインで分割する或いは分割しない複数の区画領域を認識する場合、図２で示すＢ寸法とＨ寸法のものとなって大きさが異なる区画領域が認識される。
【００３２】
前記配線類引出領域４０は構造体１の上面に等間隔或いは異なる間隔など所定間隔毎に設けられればよく、その設置位置は前記連結部２０の少なくとも一部分である所定領域や、支持部１０の上面１０ａの所定領域などに設ける。又配線類引出用領域４０の開口は、配管や各種配線など所要の配線類５０が挿通可能で且つ立上・引出が可能であれば、その形状や径は適宜であり、さらに歩行時にヒールの踵等が落ち込まない程度の大きさとすると好適で、平面形状で略コ字形、略Ｕ字形、略Ｖ字形、略半円形等の所定形状とすることができる。
【００３３】
ここで本発明の二重床用構造体において配線類引出用領域４０とは、例えば図１、図２、図３、図５等に示すように、所定圧力を加えるなど打抜（ノックアウト）或いは切除等で開口可能な領域４０ａ、又は予め開口された配線類５０を挿通可能な開口領域４０ｂ、又は前記開口可能な領域４０ａ及び前記開口領域４０ｂである。従って、上記開口可能な領域４０ａの他、例えば予め配線挿通可能な開口領域４０ｂを形成しておいてもよい（図５参照）。そして、配線類引出用領域４０の使用に際しては、例えば連結部２０の少なくとも一部分に設けられた切断部２１や切込部４１で、構造体１の所定区画への分割する場合、所要の配線類引出用領域４０で打抜或いは切断等による開口の形成をする場合、予め形成されている開口領域４０ｂの使用等で、所要の配線類引出用領域４０に配線類５０を挿通する場合がある。
【００３４】
上記実施形態の二重床用構造体１を使用する際には、必要に応じて区画して敷設した構造体１の配線類空間３０に配線類５０を敷設し、配線類引出用領域４０のうち、例えば図２に示す網目模様の領域を切込部４１や場合によっては切断部２１を利用することで打抜或いは切断して開口を形成し、前記開口から敷設した配線類５０を図示の二点鎖線で示すように立ち上げる。そして、図１に示すように構造体１の上面にカーペット、シートなどの仕上材６０を敷設するが、前記開口に対応する位置に切込６０ａを設け、前記仕上材６０から各種配線等の配線類５０を引き出すこととなる。
【００３５】
ここで上記実施形態の変形例について説明する。図３（ａ）は連結部の変形例を示す平面図、図３（ｂ）は図３（ａ）に示す変形例の側面図、図４は連結部の他の変形例を示す側面図である。
【００３６】
図３示例の場合、配線類引出用領域４０の面積が上記実施形態の場合よりも小さく設定され、切断部２１や切込部４１によって異なる切断位置で選択的に開口可能な変形例を示したものであり、例えば図３に示す網目模様の前記配線類引出用領域４０の選択した所要位置を開口して配線類５０を引き出す構成である。図４の場合も同様であるが、連結部２０及び配線類引出用領域４０が支持体１０相互の上端ではなく側面略中央近傍で架設され、構造体１の上面が支持体１０の上面１０ａと前記連結部２０で段差をもって構成されている。
【００３７】
次に、他の実施形態の二重床用構造体について説明する。図５は第二実施形態の二重床用構造体の施工状態を示す斜視図である。
【００３８】
図５に於いて二重床用構造体１は上記実施形態と異なり、中空柱状の支持部１０を複数並設し、支持体１０間に架設される連結部２０は略同一平面状で、支持体１０の上端相互を連結する。前記連結部２０は支持体１０の上部に一体で或いは別体で設けられており、中空の支持部１０の上部に位置する箇所には開口が形成され、連結部２０の内方で支持部１０間の切断部２１同士の交差点には開口領域４０ｂである配線類引出用領域４０が形成されている。前記開口領域４０ｂは予め配線類を挿通可能なように開口されており上記実施形態と異なる。又構造体１の連結部２０の周縁端部には前記交差点における開口領域４０ｂの半分の大きさである開口領域４０ｂが予め形成されている。
【００３９】
前記構造体１を切断部２１によって一方向に直線的に切断した場合、前記交差点における開口領域４０ｂで切断線上にあるものは１／２の面積となって、連結部２０の周縁に位置する半分の開口領域４０ｂと同じ開口となる。即ち、切断部２１によりブロック等の支持体１０単位の所定寸法で直線的に切断すれば、前記半分の開口領域４０ｂを簡単に形成できる。なお本実施形態において所定箇所に打抜或いは切断で開口可能な領域４０ａを設けることは適宜であり、また６０は仕上材である。
【００４０】
図６は第三実施形態の二重床用構造体の施工状態を示す斜視図である。本実施形態の二重床用構造体１は、その支持体１０が側面視略Ｉ形形状の支持脚をなし、前記支持体１０間の上端に天板の連結部２０を架設している。前記連結部２０は支持体１０と一体或いは別体で設けられ、連結部２０には打抜或いは切断で開口可能な領域４０ａである配線類引出用領域４０が多数形成されている。前記配線類引出用領域４０の位置、形態は任意であるが、所定の規則的な配列で設けると好適である。そして、所要の配線類引出可能領域４０（４０ａ）を必要に応じて打抜或いは切断して開口を形成する。
【００４１】
図７は第四実施形態の二重床用構造体の施工状態を示す斜視図、図８は図７の二重床用構造体を示す平面図、図９は図７の二重床用構造体の裏面を示す斜視図である。
【００４２】
本実施形態の二重床用構造体１は、その支持体１０が支持脚一体型のブロック体からなり、各支持体１０は前記ブロック体の上面に天井部を形成するため支持脚１１の上方を相互に連結する連結部１２を有し、前記連結部１２には打抜或いは切断で開口可能な配線類引出用領域４０（４０ａ）が設けられ、ブロック体である各支持体１０の支持脚１１間に所要経路の配線類５０を敷設可能な配線類空間３０が形成される。前記支持脚１１は軽量化のために中空化されている。又支持体１０相互間は側面下端に連結部２０を架設され、前記連結部２０には中心に沿って切断部２１のラインが形成されており、前記切断部２１に沿って切断することで支持体１０相互を分離可能である。従って、敷設面積等に応じて構造体１を容易に所定の大きさに区画して切断できる。そして、前記切断部２１に沿ってカットした端面位置など所定位置で、配線類引出用領域４０（４０ａ）を開口して敷設された配線類５０の立ち上げが行える。
【００４３】
ここで支持体１０の変形例について説明する。図１０（ａ）は支持体の変形例を示す側面図、図１０（ｂ）は図１０（ａ）に示す変形例の裏面の平面図、図１０（ｃ）は図１０（ａ）に示す変形例の裏面の斜視図、図１１（ａ）は支持体の他の変形例を示す側面図、図１１（ｂ）は図１１（ａ）に示す変形例の裏面の平面図、図１１（ｃ）は図１１（ａ）に示す変形例の裏面の斜視図である。
【００４４】
図１０（ａ）〜同図（ｃ）の二重床用構造体１においては、各支持体１０は水平面略三角形状で中空の支持脚１１を有し、支持脚１１の上端に略同一平面を形成する連結部２０が設けられ天井面（上面）をなし、支持脚１１相互及び支持体１０相互を連結する構成である。前記連結部２０には各支持体１０の四方に切込部４１で囲まれた開口可能な配線類用引出領域４０（４０ａ）が形成され、各支持体１０相互の境界をなす部分に切断部２１が設けられている。
【００４５】
さらに同図（ｂ）に示すように前記連結部２０の裏面には支持体１０の強度を向上するため、４本の支持脚１１を対角線方向に結合する平面略十字状のリブ１３が設けられている。前記支持脚１１間には平面略八角形状に配線類空間３０が形成され、同図（ａ）、（ｃ）に示すように前記配線類空間３０には所要経路の配線類５０が敷設されるようになっており、例えば配線を敷設する際に容易に配線の曲げを行え、配線の引出が容易に行えるようになっている。
【００４６】
図１１（ａ）〜同図（ｃ）の二重床用構造体１の支持体１０も図１０の場合と類似した構成であるが、各支持脚１１は略四角形状で中央に位置する一隅を切り欠かれ、互いに隣接する支持脚１１はリブ１３で相互に結合されている。リブ１３で連結された四本の前記支持脚１１は一体的に形成されている。またこの構成では、支持脚１１間や中央部には配線類空間３０が有効に広範囲に形成され、所要経路で敷設する配線類５０、例えば配線に対し、前記配線類空間３０の内部で極めて容易に方向転換や引出処理を行うことができる。他の構成は図１０の場合と同様である。
【００４７】
更に他の実施形態について説明する。図１２は第五実施形態の二重床用構造体を示す斜視図、図１３は第六実施形態の二重床用構造体を示す斜視図である。
【００４８】
図１２の二重床用構造体１は図５の実施形態と類似する構成であるが、各支持部１０の上端に設けられた略同一平面の連結部２０には、配線類引出用領域４０として打抜或いは切断で開口可能な領域４０ａが設けられ、また平板状の連結部２０の一辺に沿って開口領域４０ｂが設けられている。前記領域４０ａは平板状の連結部２０の一辺に沿って三方向の切込部４１で囲まれて形成されているか、連結部２０の内側において三方向のスリット４２で囲まれて形成されている。スリット４２の各端部には切断部２１が連接して形成され、そして、相互に連結部２０が部分的に結合されている。前記スリット４２で囲まれた領域４０ａは構造体１を切断部２１で切断すると同時に開口される構成である。
【００４９】
図１３の二重床用構造体１はブロック体である支持体１０相互が、その上端に連結部２０を架設することで形成されているもので、前記連結部２０には所定箇所に配線類引出用領域４０として打抜或いは切断で開口可能な領域４０ａが設けられている。前記領域４０ａはＵカット或いはＶカットの切込部４１で囲まれ、前記切込部４１の端部には所定箇所に開口を容易にするための孔４１ａが設けられている。前記孔４１ａの端部には切断部２１が連接して形成され、構造体１は前記切断部２１に沿って切断可能である。なお切込部４１の替わりに図１２の如くスリット４２を設ける構成としてもよい。
【００５０】
尚、上記実施形態の二重床用構造体１において、打抜或いは切除で開口可能な領域４０ａ又は予め設けられた開口領域４０ｂ、又は前記領域４０ａ及び前記領域４０ｂの両者からなる配線引出用領域４０は、配線類空間３０の上方で例えば連結部１２を含む支持体１０の上面或いは支持体１０間の連結部２０の所定位置に設けたが、二重床用構造体１の上面である位置に設ければその位置は適宜であり、配線等が配線類空間３０の所要経路から上方へ緩やかに立ち上げ可能とする位置であることが望ましい。
【００５１】
また配線類引出用領域４０は各支持体１０間の薄肉等の連結部２０に形成することができ、又切断部２１や切込部４１やスリット４２等からなるカットラインに少なくとも接するように囲まれて形成すると好適である。このとき、例えば配線引出用領域４０を少なくとも切断部２１に接するようにした場合、構造体１を複数区画へ分割した際に切断ラインに沿って前記領域４０が外周辺に接することになるので、前記領域４０が開口可能な領域４０ａ等である場合に区画外周における開口形成はより容易になるという有利性が得られ、図１２示例のように切断と同時に開口される構成としてもよい。
【００５２】
次に、上記二重床用構造体１の施工方法について説明する。
【００５３】
まず、複数の支持体１０を連結部２０で架設してなり配線類引出用領域４０を有する二重床用構造体１を、床面の所定空間にパネル材として敷設する。そして、前記パネル材を敷設した後の床面の残余空間、例えば壁際や柱回り等に別の二重床用構造体１或いは二重床用構造体１を切断して分割した所定区画をボーダー材として敷設する。前記パネル材および前記ボーダー材とも、例えば支持体１０間など、その内部に所要経路の配線類５０を敷設可能な配線類空間３０を有するので、上記工程と並行して前記配線類空間３０に所要経路の配線等を敷設する。
【００５４】
そして、配線類引出用領域４０が打抜或いは切除で開口可能な領域４０ａである場合、前記ボーダー材等における所望の配線類引出位置に対応する近傍位置の領域４０ａを打抜（ノックアウト）或いは切除で開口する。また配線類引出用領域４０が予め形成された開口領域４０ｂである場合にはそのまま使用する。
【００５５】
その後、開口状態である所望の配線類引出用領域４０を利用して、配線類空間３０に所要経路に敷設された配線類５０、例えば配線を前記領域４０から立ち上げる。そして、仕上材６０としてカーペットやシート等を構造体１の上面に敷設し、前記立ち上げ箇所に切込６０ａ等を設けて配線を引き出す。
【００５６】
以上のように任意の配線類引出位置において、前記所望の配線類引出位置に対応する近傍の配線類引出用領域４０を選択し、開口状態の前記領域４０を利用して配線類５０の引出しを行う。特に前記領域４０を打抜或いは切除で開口可能な領域４０ａとした場合、前記領域４０ａを打抜（ノックアウト）或いは切除することで、配線類５０が引き出せる領域の必要且つ最小限の開口を簡単・確実・容易に形成することができる。尚、打抜や切除の方法は配線類５０が引き出せるようになればどのような方法でも良く、その方法は限定されるものではない。
【００５７】
上記二重床用構造体１及びその施工方法によって、配線類５０を支持体１０間等の配線類空間３０を有効利用して所要経路に敷設し、前記敷設された配線類５０を所望位置の配線類引出用領域４０から上方へ立ち上げることができるので、配線等を９０度など極端に曲げる必要がなく自然な立ち上げが可能となる。
【００５８】
また配線類引出用領域４０として打抜或いは切除で開口可能な領域４０ａを使用する場合、二重床用構造体１の上面の良好な平坦性や高強度を維持しながら、例えば壁際や柱回り近傍などでの配線立ち上げを所定の支持体１０単位毎等の任意の必要な位置から打抜或いは切除で必要且つ最小限の開口を形成するだけで行うことができ、施工が簡単且つ確実に行うことができる。即ち、配線立上用開口を、現場での単純な打抜或いは切断作業による施工で形成できる。
【００５９】
また配線類引出用領域４０は二重床用構造体１自体に形成されているので、配線引出用開口が設けられたボーダーカバーや開口を形成するための別部材等を用いる必要がなく、部品点数や材料の削減ができ、これによって前記削減分のコストダウン及び施工の容易性を図ることができる。前記二重床用構造体１は一体成形で構成して簡単な構造にすることができる。
【００６０】
【発明の効果】
本発明による二重床用構造体及びその施工方法は上記構成であるから、パネル材やボーダー材として使用する二重床用構造体において、二重床内部に敷設された配線の立ち上げ或いは引き出しを極めて簡単な構成で容易且つ良好に行うことができる。又、任意の所望位置でのスムーズな配線立ち上げ等を確実に行うことができる効果を有する。従って、柱回り・壁際等の配線引き出し、配線引き出しの変更、移設・増設等の配線の敷設或いは取扱などの施工性を向上することができる。
【図面の簡単な説明】
【図１】第一実施形態の二重床用構造体の施工状態を示す斜視図。
【図２】図１の二重床用構造体の変形例を示す部分斜視図。
【図３】（ａ）連結部の変形例を示す平面図。
（ｂ）同図（ａ）に示す変形例の側面図。
【図４】連結部の他の変形例を示す側面図。
【図５】第二実施形態の二重床用構造体の施工状態を示す斜視図。
【図６】第三実施形態の二重床用構造体の施工状態を示す斜視図。
【図７】第四実施形態の二重床用構造体の施工状態を示す斜視図。
【図８】図７の二重床用構造体を示す平面図。
【図９】図７の二重床用構造体の裏面を示す斜視図。
【図１０】（ａ）支持体の変形例を示す側面図。
（ｂ）同図（ａ）に示す変形例の裏面の平面図。
（ｃ）同図（ａ）に示す変形例の裏面の斜視図。
【図１１】（ａ）支持体の他の変形例を示す側面図。
（ｂ）同図（ａ）に示す変形例の裏面の平面図。
（ｃ）同図（ａ）に示す変形例の裏面の斜視図。
【図１２】第五実施形態の二重床用構造体を示す斜視図。
【図１３】第六実施形態の二重床用構造体を示す斜視図。
【符号の説明】
１  二重床用構造体
１０  支持体
２０  連結部
２１  切断部
３０  配線類空間
４０、４０ａ、４０ｂ  配線類引出用領域
４１  切込部
５０  配線類
【図１】
0004368011.tif 000002
【図２】
0004368011.tif 000003
【図３】
0004368011.tif 000004
【図４】
0004368011.tif 000005
【図５】
0004368011.tif 000006
【図６】
0004368011.tif 000007
【図７】
0004368011.tif 000008
【図８】
0004368011.tif 000009
【図９】
0004368011.tif 000010
【図１０】
0004368011.tif 000011
【図１１】
0004368011.tif 000012
【図１２】
0004368011.tif 000013
【図１３】
0004368011.tif 000014